(57)【要約】【課題】  例えばボルト本体の頭部に固定される飾り部材となる天然・合成の宝石類において、それらが自然に輝くようになり、ネジ止め用として組立使用される例えば家具類、機械器具類、固定支持する被締結材等に一層豪華な印象を与えるようにする。【解決手段】  ボルト本体１の頭部２に光輝性ある装飾材１０を固定すると共に、頭部２の周囲に光取り入れ窓孔５を開穿形成する。そのため、頭部２には、装飾材１０を嵌め込む収納凹部３を頭部２上面から凹部穴状にして形成すると共に、頭部２の周面には収納凹部３に連通させた光取り入れ窓孔５を開穿して、外光が入射されるようにする。【選択図】      図１
0003116446.tif 000002
【実用新案登録請求の範囲】
【請求項１】
締結部材における露出部分に光輝性の装飾材を固定すると共に、その露出部分の周囲に装飾材に対して外光を入射付与する光取り入れ窓孔を開穿形成したことを特徴とする装飾機能を備えた締結部材。
【請求項２】
ボルト本体の頭部に光輝性の装飾材を固定すると共に、頭部の周囲に光取り入れ窓孔を開穿形成したことを特徴とする装飾機能を備えた締結部材。
【請求項３】
頭部には、装飾材を嵌め込む収納凹部が頭部上面から凹部穴状にして形成されていると共に、頭部の周面には収納凹部に連通させた光取り入れ窓孔が開穿されている請求項２に記載の装飾機能を備えた締結部材。
【請求項４】
袋ナット本体のカバー部に光輝性の装飾材を固定すると共に、カバー部の周囲に光取り入れ窓孔を開穿形成したことを特徴とする装飾機能を備えた締結部材。
【考案の詳細な説明】
【技術分野】
【０００１】
この考案は例えばスチール家具のネジ止め組立、自動車におけるナンバープレートの固定、ホイルキャップの固定支持等に使用され、締結後の装飾を図ることができる装飾機能を備えた締結部材に関する。
【背景技術】
【０００２】
従来から各種機械製品、家具、自動車・船舶等の乗用機械器具その他のものには、それらの諸部材の組立、固定等のためにネジ止めするボルト、ナット等の締結部材が使用されている。特に例えば室内家具においてそれらの部材をネジ止め組立固定したときに外表面に外観的に表れたり、自動車におけるナンバープレート、ホイールキャップ等を固定支持して外観上露出されたりするボルト・ナット等のネジ止め部材では、それらの例えば六角形状の頭部、ナット等が剥きだし状になっていることが多い。そのため家具、ナンバープレート等ではそれ自体が体裁よく製作されたものであっても、全体の美観上では難点が生じていた。
【０００３】
かかる点を解消すべく、例えば特許文献１にあるようにボルト本体の頭部に形成したミラー受け入れ凹溝内に、裏面にミラーを施したダイヤモンド形状のクリスタルガラスを嵌め付け一体化する自動車ホイールの組立ボルトが提案されている。また特許文献２にあるようにネジ本体の膨頭部に飾り用部材を固定しておき、周側面に複数の飾り用部材を固定した台をネジ本体の膨頭部下面にネジ止めして成る眼鏡枠の蝶番の固定等に用いる飾りネジが提案されている。
【特許文献１】登録実用新案第３０３３９１９号公報
【特許文献２】実公昭６３−１４６５１号公報
【考案の開示】
【考案が解決しようとする課題】
【０００４】
ところが従来提案の特許文献１による組立ボルトによれば、クリスタルガラスをキラキラと輝かせるために、このクリスタルガラス表面から入光される光線をクリスタルガラス裏面にミラーを施すことで実現しているから、クリスタルガラス自体を加工処理しなければならないばかりでなく、入光量が大きくないと十分な輝きが得られない欠点がある。また特許文献２による飾りネジによると、膨頭部の飾り用部材はその裏面が開放されていないために、外観上で表現される美的要素しかなく、台の周側面の複数の小さい飾り用部材はその固定構造を更に工夫しなければ、それらの裏面からの光輝能力・作用は期待できないものである。
【０００５】
そこでこの考案は叙上のような従来存した諸事情に鑑み案出されたもので、例えばボルト本体の頭部に固定される飾り部材となる天然・合成の宝石類の光輝性ある装飾材において、それらには自然の輝きが得られ、組立使用される例えば家具類、機械器具類その他の固定支持する被締結材等が一層豪華な印象が得られるようにした装飾機能を備えた締結部材を提供することを目的とする。
【課題を解決するための手段】
【０００６】
上述した課題を解決するため、この考案にあっては、締結部材（１，２１）における露出部分（２，２２）に光輝性ある装飾材１０を固定すると共に、その露出部分（２，２２）の周囲に装飾材１０に対して外光を入射付与する光取り入れ窓孔５，２５を開穿形成したものである。
具体的には、ボルト本体１の頭部２に光輝性ある装飾材１０を固定すると共に、頭部２の周囲に光取り入れ窓孔５を開穿形成したものであり、頭部２には、装飾材１０を嵌め込む収納凹部３が頭部２上面から凹部穴状にして形成されていると共に、頭部２の周面には収納凹部３に連通させた光取り入れ窓孔５が開穿されていて、外光が入射されるようにしてある。
また、袋ナット本体２１のカバー部２２に光輝性ある装飾材１０を固定すると共に、カバー部２２の周囲に光取り入れ窓孔２５を開穿形成したものである。
【０００７】
以上のように構成されたこの考案に係る装飾機能を備えた締結部材にあって、各種機械器具類の組立、各種部材その他の被締結材Ｍの固定支持、締結等に使用されるとき、これらの諸部材の外表面に露出されることで、装飾材１０によって装飾し、例えば豪華さを付与させる。
光輝性ある装飾材１０は、この装飾材１０を固定しているボルト本体１の頭部２、袋ナット本体２１のカバー部２２においての周囲に開穿形成の光取り入れ窓孔５，２５を経て入射される外光によって、これの底部側が光り輝き、その上部からそれを放射する。
【考案の効果】
【０００８】
この考案は以上説明したように構成されているため、例えばボルト本体１の頭部２に固定される飾り部材となる天然・合成の宝石類の装飾材１０は、その外光によって自然の輝きが得られ、組立使用される例えば家具類、機械器具類、固定支持する被締結材Ｍ等に一層豪華な印象を与えることが可能となる。
【０００９】
すなわちこれは、ボルト本体１、袋ナット本体２１等の締結部材における頭部２、カバー部２２等の露出部分に光輝性ある装飾材１０を固定すると共に、その頭部２、カバー部２２の周囲に装飾材１０に対して外光を入射付与する光取り入れ窓孔５，２５を開穿形成したからであり、これによって、被締結材に装飾材１０の装飾性を付与でき、また、従来と異なり、取り入れる外光によって自然な輝きが得られるのである。
【００１０】
また、ボルト本体１の頭部２には、装飾材１０を嵌め込む収納凹部３が頭部２上面から凹部穴状にして形成されていると共に、頭部２の周面には収納凹部３に連通させた光取り入れ窓孔５が開穿されているから、光取り入れ窓孔５を経て外光が収納凹部３内に入射されるものとなり、収納凹部３内では装飾材１０の底部に生じることになる乱反射と相俟って、装飾材１０の上面では一層の自然の輝きが発揮されるのである。
【００１１】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１２】
以下図面を参照してこの考案を実施するための最良の一形態を説明すると、図において示される符号１は締結部材である例えばボルト本体であり、このボルト本体１の頭部２に天然あるい合成等による宝石である光輝性ある装飾材１０が、その上部を露出させた状態で嵌め込み状にして固定保持されている。そのため頭部２には、装飾材１０を嵌め込む収納凹部３が頭部２上面から凹部穴状にして形成されていると共に、頭部２の周面には収納凹部３に連通させた光取り入れ窓孔５が開穿されていて、収納凹部３内に外光が入射されるようにしてある。
【００１３】
また装飾材１０は、例えば人工宝石のものとしてあり、それの角錐状の底部が収納凹部３内に収容されることで光取り入れ窓孔５を経て外部から光が取り入れられるようにしてあり、また外観できるようにしてある。尚、装飾材１０の収納凹部３内への収納時では、収納凹部３の開口縁に所定間隔毎に突出形成してある係止爪４によって装飾材１０の頂部面がしっかりと固定支持されるようになっている。
【００１４】
図示にあって、ボルト本体１の頭部２は平面で六角形状を呈することで周囲に６面の被把持面を有しており、夫々の被把持面に光取り入れ窓孔５が開穿されており、光取り入れ窓孔５相互間には頭部２の隅部位置であたかも頭部２の天部位を支持しているような柱部分として残置されているようになっている。
【００１５】
尚、光取り入れ窓孔５が開口形成されている頭部２の構成は、頭部２自体に対する収納凹部３の掘削加工、光取り入れ窓孔５の刳り貫き加工等による場合に限らず、板片状の下部ベースの隅部に細い柱部分を立脚し、嵌め入れ開口を刳り貫き加工してある板片状の上部天板を柱部分に固定することで構成することも可能である。要は、ボルト本体１の頭部２部位に装飾材１０が固定されると共に、装飾材１０の下部に対して頭部２の側方から光取り入れ窓孔５を経て外光が入射・導入されるようになっていれば足り、また頭部２は六角形状であることにも限定されるものでない。
【００１６】
また図３には、別の実施の形態が示されており、これは袋ナット本体２１のカバー部２２に収納凹部２３及び光取り入れ窓孔２５を設けたもので、その詳細は先の実施の形態におけると同様なので省略する。この考案は、このような袋ナット状の締結部材に限らず、各種の締結部材に実施でき、場合によっては露出されるボルト材の先端部分に同様にして装飾材１０を配置構成することも可能である（図示せず）。
【００１７】
次にこれの使用の一例を説明すると、通常の用法に従い使用されるもので、例えばスチール家具において外表面として外観される部分に露出状に使用される場合、自動車におけるナンバープレート、ホイールキャップ等を固定支持するときに使用される場合等である。もとより、これらに限らず各種の被締結材Ｍの組立、固定支持、締結等に使用できるのは勿論である。
【図面の簡単な説明】
【００１８】
【図１】この考案を実施するための最良の形態を示す斜視図である。
【図２】同じく断面図である。
【図３】同じく他の実施の形態における斜視図である。
【符号の説明】
【００１９】
Ｍ…被締結物
１…ボルト本体                          ２…頭部
３…収納凹部                            ４…係止爪
５…光取り入れ窓孔
１０…装飾材
２１…袋ナット本体                      ２２…カバー部
２３…収納凹部                          ２５…光取り入れ窓孔
【図１】
0003116446.tif 000003
【図２】
0003116446.tif 000004
【図３】
0003116446.tif 000005